(57)【要約】【課題】ユーザーの利便性の低下を抑制する。【解決手段】ＥＥＰＲＯＭ１１３により、登録者の顔画像を記憶し、カメラ１０２により、認証対象者の顔画像を取り込み、認証部１１６により、登録者の顔画像と認証対象者の顔画像とを比較して顔認証を行い、画像補正の特性の異なる複数の補正フィルターを有する画像補正部１１５により、認証対象者の顔画像に対してそれぞれの補正フィルターによる画像補正を行い、システム制御部１１８により、認証部１１６が顔認証に失敗した場合、画像補正部１１５に対して複数の補正フィルターによる画像補正を指示し、認証部１１６に対して登録者の顔画像と補正フィルターによる認証対象者の顔画像との顔認証を指示する。これにより、登録者の顔画像の登録時の撮像環境と、顔認証を行う際の認証対象者の顔画像の撮像環境との違いによる顔認証に対する影響を抑えることができる。【選択図】図１
2019091142.tif 000002
【特許請求の範囲】
【請求項１】
登録者の第１の顔画像を記憶する記憶デバイスと、
認証対象者の第２の顔画像を取り込むカメラと、
前記第１の顔画像と前記第２の顔画像とを比較して顔認証を行う認証部と、
画像補正の特性の異なる複数の補正フィルターを有し、前記第２の顔画像に対してそれぞれの前記補正フィルターによる画像補正を行う画像補正部と、
前記認証部が顔認証に失敗した場合、前記画像補正部に対して複数の前記補正フィルターによる画像補正を指示し、前記認証部に対して前記第１の顔画像と前記補正フィルターによる第３の顔画像との顔認証を指示するシステム制御部とを備え、
前記補正フィルターは、前記第２の顔画像の一部、又は全体を作り替える補正を行わない
ことを特徴とする電子機器。
【請求項２】
前記システム制御部は、前記画像補正部に対し、単一の前記補正フィルターによる画像補正を順次指示することを特徴とする請求項１に記載の電子機器。
【請求項３】
前記システム制御部は、前記画像補正部に対し、前記補正フィルターを一定数組み合わせての画像補正を順次指示することを特徴とする請求項１に記載の電子機器。
【請求項４】
前記システム制御部は、前記画像補正部に対し、それぞれの前記特性を変化させる設定値を変更させることを特徴とする請求項１〜３のいずれかに記載の電子機器。
【請求項５】
記憶デバイスにより、登録者の第１の顔画像を記憶する工程と、
カメラにより、認証対象者の第２の顔画像を取り込む工程と、
認証部により、前記第１の顔画像と前記第２の顔画像とを比較して顔認証を行う工程と、
画像補正の特性の異なる複数の補正フィルターを有する画像補正部により、前記第２の顔画像に対してそれぞれの前記補正フィルターによる画像補正を行う工程と、
システム制御部により、前記認証部が顔認証に失敗した場合、前記画像補正部に対して複数の前記補正フィルターによる画像補正を指示し、前記認証部に対して前記第１の顔画像と前記補正フィルターによる第３の顔画像との顔認証を指示する工程とを、電子機器を制御するコンピューターに実行させ、
前記補正フィルターは、前記第２の顔画像の一部、又は全体を作り替える補正を行わない
ことを特徴とする認証プログラム。
【発明の詳細な説明】
【技術分野】
【０００１】
本発明は、顔認証に適した電子機器及び認証プログラムに関する。
【背景技術】
【０００２】
たとえば、スマートフォン等の電子機器においては、顔認証機能を搭載している機種がある。この顔認証機能は、登録者の顔画像をメモリーに記憶させておき、カメラから取り込んだ認証対象者の顔画像とメモリーに登録した登録者の顔画像との照合による顔認証により、本人確認を行うものである。
【０００３】
このような顔認証に関するものとして、特許文献１では、画像入力手段により、認証対象者の顔画像を入力し、顔画像記憶手段により、認証登録者の顔画像を記憶し、一致率検出手段により、画像入力手段で入力した認証対象者の顔画像と顔画像記憶手段に記憶されている認証登録者の顔画像との一致率を検出し、制限解除手段により、一致率検出手段が検出した一致率に基づいて、所定の機能の制限の解除（ロック解除等）を行い、表示制御手段により、一致率検出手段が検出した一致率に関する情報を、画像入力手段で入力した認証対象者の顔画像と同時に表示手段に表示する情報処理端末を提案している。
【先行技術文献】
【特許文献】
【０００４】
【特許文献１】特開２０１３−１６１２６１号公報
【発明の概要】
【発明が解決しようとする課題】
【０００５】
上述した特許文献１の情報処理端末では、認証対象者が、表示部に連続的に更新表示される顔画像と一致率とを確認しながら、認証対象者の顔と携帯情報端末の映像入力部との相対的な角度を変更したり、認証対象者の顔の表情を変えたりすることで、認証に成功しやすい状況を探しやすくしている。
【０００６】
ところで、顔認証を行う際の認証対象者の顔画像のカメラによる撮像環境は、メモリーに登録した登録者の顔画像の撮像環境と異なる場合がある。すなわち、撮像環境には、たとえば周囲の明るさ（部屋の明るさ等）、照明の点滅速度（たとえば関東での５０Ｈｚ、関西での６０Ｈｚ等）、撮像機器の違い（解像度の違い等）等がある。
【０００７】
このため、特許文献１の情報処理端末のように、認証に成功しやすい状況を探しやすくしている場合でも、メモリーへの登録者の顔画像の登録時の撮像環境に対し、顔認証を行う際の認証対象者の顔画像の撮像環境が大幅に異なると、認証に成功しやすい状況を探し出せないことも予測される。この場合、カメラの設定変更の操作や、認証対象者の顔画像の取り直しが必要となることもあり、ユーザーの利便性を低下させるおそれがある、という問題がある。
【０００８】
本発明は、このような状況に鑑みてなされたものであり、上記問題点を解消することができる電子機器及び認証プログラムを提供することを目的とする。
【課題を解決するための手段】
【０００９】
本発明の電子機器は、登録者の第１の顔画像を記憶する記憶デバイスと、認証対象者の第２の顔画像を取り込むカメラと、前記第１の顔画像と前記第２の顔画像とを比較して顔認証を行う認証部と、画像補正の特性の異なる複数の補正フィルターを有し、前記第２の顔画像に対してそれぞれの前記補正フィルターによる画像補正を行う画像補正部と、前記認証部が顔認証に失敗した場合、前記画像補正部に対して複数の前記補正フィルターによる画像補正を指示し、前記認証部に対して前記第１の顔画像と前記補正フィルターによる第３の顔画像との顔認証を指示するシステム制御部とを備え、前記補正フィルターは、前記第２の顔画像の一部、又は全体を作り替える補正を行わないことを特徴とする。
また、前記システム制御部は、前記画像補正部に対し、単一の前記補正フィルターによる画像補正を順次指示することを特徴とする。
また、前記システム制御部は、前記画像補正部に対し、前記補正フィルターを一定数組み合わせての画像補正を順次指示することを特徴とする。
また、前記システム制御部は、前記画像補正部に対し、それぞれの前記特性を変化させる設定値を変更させることを特徴とする請求項１〜３のいずれかに記載の電子機器。
本発明の認証プログラムは、記憶デバイスにより、登録者の第１の顔画像を記憶する工程と、カメラにより、認証対象者の第２の顔画像を取り込む工程と、認証部により、前記第１の顔画像と前記第２の顔画像とを比較して顔認証を行う工程と、画像補正の特性の異なる複数の補正フィルターを有する画像補正部により、前記第２の顔画像に対してそれぞれの前記補正フィルターによる画像補正を行う工程と、システム制御部により、前記認証部が顔認証に失敗した場合、前記画像補正部に対して複数の前記補正フィルターによる画像補正を指示し、前記認証部に対して前記第１の顔画像と前記補正フィルターによる第３の顔画像との顔認証を指示する工程とを、電子機器を制御するコンピューターに実行させ、前記補正フィルターは、前記第２の顔画像の一部、又は全体を作り替える補正を行わないことを特徴とする。
本発明の電子機器及び認証プログラムでは、記憶デバイスにより、登録者の第１の顔画像を記憶し、カメラにより、認証対象者の第２の顔画像を取り込み、認証部により、第１の顔画像と第２の顔画像とを比較して顔認証を行い、画像補正の特性の異なる複数の補正フィルターを有する画像補正部により、第２の顔画像に対してそれぞれの補正フィルターによる画像補正を行い、システム制御部により、認証部が顔認証に失敗した場合、画像補正部に対して複数の補正フィルターによる画像補正を指示し、認証部に対して第１の顔画像と補正フィルターによる第３の顔画像との顔認証を指示する。また、補正フィルターは、顔画像の一部、又は全体を作り替える補正を行わない。
このように、顔画像の一部、又は全体を作り替える補正を行わない補正フィルターによって画像補正することで、記憶デバイスへの登録者の第１の顔画像の登録時の撮像環境と、顔認証を行う際の認証対象者の顔画像の撮像環境との違いによる顔認証に対する影響を抑えることができ、カメラの設定変更の操作や、認証対象者の顔画像の取り直しを無くすことできる。
【発明の効果】
【００１０】
本発明の電子機器及び認証プログラムによれば、カメラの設定変更の操作や、認証対象者の顔画像の取り直しを無くすことできるので、ユーザーの利便性の低下を抑制できる。
【図面の簡単な説明】
【００１１】
【図１】本発明の電子機器を携帯端末に適用した場合の一実施形態を示す図である。
【図２】図１の画像補正部の構成の一例について説明するための図である。
【図３】図１の携帯端末による認証処理の一例について説明するためのフローチャートである。
【発明を実施するための形態】
【００１２】
以下、本発明の電子機器の一実施形態を、図１〜図３を参照しながら説明する。なお、以下の説明においての電子機器の一例としては、たとえばスマートフォン等の携帯端末であるものとする。
【００１３】
まず、図１に示すように、携帯端末１００は、アンテナ１０１、カメラ１０２、パネル部１０３を制御する制御部１１０を備えている。アンテナ１０１は、通信方式がWi-Fi（登録商標）の場合、図示しない無線通信機との間で電波を送受信する。また、アンテナ１０１は、通信方式がＰ２Ｐ(Peer to Peer)（たとえば、Wi-Fi Direct（登録商標）、Bluetooth（登録商標））、無線のネットワーク（たとえば、無線ＬＡＮ(Local Area Network)）の場合、図示しないＭＦＰ(Multifunction Peripheral)等の機器との間で電波を送受信する。カメラ１０２は、たとえば顔画像を取り込む。パネル部１０３は、携帯端末１００のカメラ撮像機能、及びネットワーク経由でのデータ送受信機能や、各種設定のための表示を行うタッチパネルなどのデバイスである。
【００１４】
制御部１１０は、制御プログラム等を実行して携帯端末１００全体の動作を制御するプロセッサーである。制御部１１０は、通信制御部１１１、ＲＡＭ(Random Access Memory)１１２、ＥＥＰＲＯＭ(electrically erasable and programmable read-only memory)１１３、カメラ制御部１１４、画像補正部１１５、認証部１１６、パネル操作制御部１１７、システム制御部１１８を備えている。また、これらは、データバス１１９に接続されている。
【００１５】
通信制御部１１１は、アンテナ１０１を介し、図示しないＭＦＰ等の機器との間で、データ等の送受信の制御を行う。ＲＡＭ１１２は、プログラムを実行するためのワークメモリーである。ＥＥＰＲＯＭ１１３には、各部の動作チェック等を行う制御プログラムが記憶されている。また、ＥＥＰＲＯＭ１１３には、認証に必要な登録者の顔画像が登録されている。カメラ制御部１１４は、カメラ１０２の撮像動作を制御する。また、カメラ制御部１１４は、カメラ１０２が撮像した認証対象者の顔画像をＲＡＭ１１２に記憶させる。画像補正部１１５は、詳細については後述するが、認証部１１６による顔認証に失敗した場合、後述の図２に示すそれぞれの特性が異なる各種補正フィルターにより、認証対象者の顔画像を補正する。
【００１６】
認証部１１６は、カメラ１０２が撮像した認証対象者の顔画像と、ＥＥＰＲＯＭ１１３が記憶している登録者の顔画像とを比較し、顔認証を行う。パネル操作制御部１１７は、パネル部１０３の表示動作を制御する。システム制御部１１８は、各部の連携動作を制御する。また、システム制御部１１８は、パネル部１０３を介して顔認証が指示されると、パネル操作制御部１１７を介し、カメラ１０２が撮像した認証対象者の顔画像を取り込み、ＲＡＭ１１２に記憶させる。また、システム制御部１１８は、認証部１１６に対して認証対象者の顔画像の認証を指示し、認証部１１６による顔認証に失敗した場合、画像補正部１１５に対し、認証対象者の顔画像の画像補正を指示する。また、システム制御部１１８は、画像補正部１１５が画像補正した認証対象者の顔画像をＲＡＭ１１２に記憶させる。
【００１７】
次に、図２を参照し、画像補正部１１５の構成の一例について説明する。画像補正部１１５は、それぞれの特性が異なる、たとえば、明るさフィルター１１５ａ、ぼかしフィルター１１５ｂ、シャープフィルター１１５ｃ、ノイズフィルター１１５ｄ、変形フィルター１１５ｅを有している。なお、画像補正部１１５は、明るさフィルター１１５ａ、ぼかしフィルター１１５ｂ、シャープフィルター１１５ｃ、ノイズフィルター１１５ｄ、変形フィルター１１５ｅに限らず、他の補正フィルターを用いてもよい。明るさフィルター１１５ａは、画像の色調を補正し、画像の明るさ等を変更する。ぼかしフィルター１１５ｂは、画像の解像度を下げて画像全体をやわらかな印象にする変更する。シャープフィルター１１５ｃは、隣接するピクセル間のコントラストを強調し、ぼやけた画像をシャープに変更する。ノイズフィルター１１５ｄは、ノイズ又はピクセルの追加や削除を行い、ほこりや傷等の問題のある部分を削除する。変形フィルター１１５ｅは、認証対象者の顔画像の全体を拡大したり、縮小したり、回転させたりする。
【００１８】
ここで、画像補正部１１５は、認証部１１６が顔認証に失敗した場合、システム制御部１１８の指示に従い、ＲＡＭ１１２に記憶されている認証対象者の顔画像に対し、明るさフィルター１１５ａ、ぼかしフィルター１１５ｂ、シャープフィルター１１５ｃ、ノイズフィルター１１５ｄ、変形フィルター１１５ｅの順に、画像補正を行う。つまり、認証対象者の顔画像に対する認証部１１６によっての顔認証が失敗した場合、画像補正部１１５が明るさフィルター１１５ａによる画像補正を行う。また、明るさフィルター１１５ａによる画像補正された認証対象者の顔画像に対する認証部１１６によっての顔認証が失敗した場合、画像補正部１１５がぼかしフィルター１１５ｂによる画像補正を行う。また、ぼかしフィルター１１５ｂによる画像補正された認証対象者の顔画像に対する認証部１１６によっての顔認証が失敗した場合、画像補正部１１５がシャープフィルター１１５ｃによる画像補正を行う。また、シャープフィルター１１５ｃによる画像補正された認証対象者の顔画像に対する認証部１１６によっての顔認証が失敗した場合、画像補正部１１５がノイズフィルター１１５ｄによる画像補正を行う。また、ノイズフィルター１１５ｄによる画像補正された認証対象者の顔画像に対する認証部１１６によっての顔認証が失敗した場合、画像補正部１１５が変形フィルター１１５ｅによる画像補正を行う。このように、複数の補正フィルターによる画像補正を採用することで、顔認証を行う際の認証対象者の顔画像の撮像環境が登録者の顔画像の登録時の撮像環境と大幅に異なった場合でも、それぞれの撮像環境の違いによる顔認証に対する影響を抑えることができる。なお、画像補正部１１５による認証対象者の顔画像の画像補正においては、顔画像の一部、又は全体を作り替える補正を行わない。言い換えれば、画像補正部１１５は、顔画像の一部、又は全体を作り替える補正を行う補正フィルターを用いていない。ここで、「顔画像の一部、又は全体を作り替える」とは、顔画像の一部を変形、移動、又は回転すること、顔画像の全体を変形（相似変形を除く）することを示す。
【００１９】
次に、図３を参照し、認証対象者の顔画像の認証処理について説明する。なお、以下では、登録者の顔画像がＥＥＰＲＯＭ１１３に登録されているものとする。また、以下では、カメラ１０２により認証対象者の顔画像が取り込まれるものとする。
【００２０】
（ステップＳ１０１）
システム制御部１１８は、画像が取り込まれたかどうかを判断する。
この場合、システム制御部１１８は、カメラ制御部１１４からのカメラ１０２による認証対象者の顔画像が撮像されたことを示す通知が無ければ、画像が取り込まれないと判断する（ステップＳ１０１：Ｎｏ）。
これに対し、システム制御部１１８は、カメラ制御部１１４からのカメラ１０２による認証対象者の顔画像が撮像されたことを示す通知が有れば、画像が取り込まれたと判断し（ステップＳ１０１：Ｙｅｓ）、ステップＳ１０２に移行する。
なお、システム制御部１１８は、カメラ１０２が撮像した認証対象者の顔画像をＲＡＭ１１２に記憶させた後、認証部１１６に対して顔認証を指示する。
このとき、認証部１１６は、ＲＡＭ１１２に記憶されている認証対象者の画像補正されていない顔画像と、ＥＥＰＲＯＭ１１３に登録されている登録者の顔画像とを比較し、顔認証を行う。
【００２１】
（ステップＳ１０２）
システム制御部１１８は、認証部１１６による認証対象者の顔認証が成功したかどうかを判断する。
この場合、システム制御部１１８は、認証部１１６からの認証対象者の顔認証に成功したことを示す通知を受け取ると、認証部１１６による認証対象者の顔認証が成功したと判断し（ステップＳ１０２：Ｙｅｓ）、処理を終了する。
なお、システム制御部１１８は、認証部１１６による認証対象者の顔認証が成功した場合、ロック解除等を行う。
これに対し、システム制御部１１８は、認証部１１６からの認証対象者の顔認証に失敗したことを示す通知を受け取ると、認証部１１６による認証対象者の顔認証が失敗したと判断し（ステップＳ１０２：Ｎｏ）、ステップＳ１０３に移行する。
【００２２】
（ステップＳ１０３）
システム制御部１１８は、画像補正部１１５に対し、明るさフィルター１１５ａによる画像補正を指示する。
このとき、画像補正部１１５は、ＲＡＭ１１２に記憶されている認証対象者の画像補正されていない顔画像に対し、明るさフィルター１１５ａによる画像補正を行う。ここでは、明るさフィルター１１５ａにより、色調が補正され、画像の明るさ等が変更される。
システム制御部１１８は、画像補正部１１５による画像補正が終了すると、画像補正された認証対象者の顔画像をＲＡＭ１１２に記憶させた後、認証部１１６に対して認証対象者の顔認証を指示する。
このとき、認証部１１６は、ＲＡＭ１１２に記憶されている明るさフィルター１１５ａにより画像補正された認証対象者の顔画像と、ＥＥＰＲＯＭ１１３に登録されている登録者の顔画像とを比較し、顔認証を行う。
【００２３】
（ステップＳ１０４）
システム制御部１１８は、認証部１１６による顔認証が成功したかどうかを判断する。
この場合、システム制御部１１８は、認証部１１６からの顔認証に成功したことを示す通知を受け取ると、認証部１１６による顔認証が成功したと判断し（ステップＳ１０４：Ｙｅｓ）、処理を終了する。
なお、システム制御部１１８は、上記同様に、認証部１１６による顔認証が成功した場合、ロック解除等を行う。
これに対し、システム制御部１１８は、認証部１１６からの顔認証に失敗したことを示す通知を受け取ると、認証部１１６による顔認証が失敗したと判断し（ステップＳ１０４：Ｎｏ）、ステップＳ１０５に移行する。
【００２４】
（ステップＳ１０５）
システム制御部１１８は、画像補正部１１５に対しぼかしフィルター１１５ｂによる画像補正を指示する。
このとき、画像補正部１１５は、ＲＡＭ１１２に記憶されている認証対象者の画像補正されていない顔画像に対し、ぼかしフィルター１１５ｂによる画像補正を行う。ここでは、ぼかしフィルター１１５ｂにより、画像の解像度が下げられ、画像全体がやわらかな印象に変更される。
システム制御部１１８は、画像補正部１１５による画像補正が終了すると、画像補正された認証対象者の顔画像をＲＡＭ１１２に記憶させた後、認証部１１６に対して顔認証を指示する。なお、システム制御部１１８は、明るさフィルター１１５ａにより画像補正された認証対象者の顔画像をＲＡＭ１１２から削除する。
このとき、認証部１１６は、ＲＡＭ１１２に記憶されているぼかしフィルター１１５ｂにより画像補正された認証対象者の顔画像と、ＥＥＰＲＯＭ１１３に登録されている登録者の顔画像とを比較し、顔認証を行う。
【００２５】
（ステップＳ１０６）
システム制御部１１８は、認証部１１６による顔認証が成功したかどうかを判断する。
この場合、システム制御部１１８は、認証部１１６からの顔認証に成功したことを示す通知を受け取ると、認証部１１６による顔認証が成功したと判断し（ステップＳ１０６：Ｙｅｓ）、処理を終了する。
なお、システム制御部１１８は、上記同様に、認証部１１６による顔認証が成功した場合、ロック解除等を行う。
これに対し、システム制御部１１８は、認証部１１６からの顔認証に失敗したことを示す通知を受け取ると、認証部１１６による顔認証が失敗したと判断し（ステップＳ１０６：Ｎｏ）、ステップＳ１０７に移行する。
【００２６】
（ステップＳ１０７）
システム制御部１１８は、画像補正部１１５に対しシャープフィルター１１５ｃによる画像補正を指示する。
このとき、画像補正部１１５は、ＲＡＭ１１２に記憶されている認証対象者の画像補正されていない顔画像に対し、シャープフィルター１１５ｃによる画像補正を行う。ここでは、シャープフィルター１１５ｃにより、隣接するピクセル間のコントラストが強調され、ぼやけた画像がシャープに変更される。
システム制御部１１８は、画像補正部１１５による画像補正が終了すると、画像補正された認証対象者の顔画像をＲＡＭ１１２に記憶させた後、認証部１１６に対して顔認証を指示する。なお、システム制御部１１８は、ぼかしフィルター１１５ｂにより画像補正された認証対象者の顔画像をＲＡＭ１１２から削除する。
このとき、認証部１１６は、ＲＡＭ１１２に記憶されているシャープフィルター１１５ｃにより画像補正された認証対象者の顔画像と、ＥＥＰＲＯＭ１１３に登録されている登録者の顔画像とを比較し、顔認証を行う。
【００２７】
（ステップＳ１０８）
システム制御部１１８は、認証部１１６による顔認証が成功したかどうかを判断する。
この場合、システム制御部１１８は、認証部１１６からの顔認証に成功したことを示す通知を受け取ると、認証部１１６による顔認証が成功したと判断し（ステップＳ１０８：Ｙｅｓ）、処理を終了する。
なお、システム制御部１１８は、上記同様に、認証部１１６による顔認証が成功した場合、ロック解除等を行う。
これに対し、システム制御部１１８は、認証部１１６からの顔認証に失敗したことを示す通知を受け取ると、認証部１１６による顔認証が失敗したと判断し（ステップＳ１０８：Ｎｏ）、ステップＳ１０９に移行する。
【００２８】
（ステップＳ１０９）
システム制御部１１８は、画像補正部１１５に対しノイズフィルター１１５ｄによる画像補正を指示する。
このとき、画像補正部１１５は、ＲＡＭ１１２に記憶されている認証対象者の画像補正されていない顔画像に対し、上述したノイズフィルター１１５ｄによる画像補正を行う。ここでは、ノイズフィルター１１５ｄにより、ノイズ又はピクセルの追加や削除が行われ、ほこりや傷等の問題のある部分が削除される。
システム制御部１１８は、画像補正部１１５による画像補正が終了すると、画像補正された認証対象者の顔画像をＲＡＭ１１２に記憶させた後、認証部１１６に対して顔認証を指示する。なお、システム制御部１１８は、シャープフィルター１１５ｃにより画像補正された認証対象者の顔画像をＲＡＭ１１２から削除する。
このとき、認証部１１６は、ＲＡＭ１１２に記憶されているノイズフィルター１１５ｄにより画像補正された認証対象者の顔画像と、ＥＥＰＲＯＭ１１３に登録されている登録者の顔画像とを比較し、顔認証を行う。
【００２９】
（ステップＳ１１０）
システム制御部１１８は、認証部１１６による顔認証が成功したかどうかを判断する。
この場合、システム制御部１１８は、認証部１１６からの顔認証に成功したことを示す通知を受け取ると、認証部１１６による顔認証が成功したと判断し（ステップＳ１１０：Ｙｅｓ）、処理を終了する。
なお、システム制御部１１８は、上記同様に、認証部１１６による顔認証が成功した場合、ロック解除等を行う。
これに対し、システム制御部１１８は、認証部１１６からの顔認証に失敗したことを示す通知を受け取ると、認証部１１６による顔認証が失敗したと判断し（ステップＳ１１０：Ｎｏ）、ステップＳ１１１に移行する。
【００３０】
（ステップＳ１１１）
システム制御部１１８は、画像補正部１１５に対し変形フィルター１１５ｅによる画像補正を指示する。
このとき、画像補正部１１５は、ＲＡＭ１１２に記憶されている画像補正されていない顔画像に対し、変形フィルター１１５ｅによる画像補正を行う。ここでは、変形フィルター１１５ｅにより、認証対象者の顔画像の全体が拡大されたり、縮小されたり、回転されたりする。ここで、拡大および縮小は、相似変形によるものであり、拡大または縮小された顔画像が元の顔画像と相似となる場合に限る。なお、変形フィルター１１５ｅによる画像補正においては、たとえば顔画像の拡大が設定されている場合、顔画像の拡大による画像補正を行う。
システム制御部１１８は、画像補正部１１５による画像補正が終了すると、変形フィルター１１５ｅにより画像補正された認証対象者の顔画像をＲＡＭ１１２に記憶させた後、認証部１１６に対して顔認証を指示する。なお、システム制御部１１８は、ノイズフィルター１１５ｄにより画像補正された認証対象者の顔画像をＲＡＭ１１２から削除する。
このとき、認証部１１６は、ＲＡＭ１１２に記憶されている変形フィルター１１５ｅにより画像補正された認証対象者の顔画像と、ＥＥＰＲＯＭ１１３に登録されている登録者の顔画像とを比較し、顔認証を行う。
【００３１】
（ステップＳ１１２）
システム制御部１１８は、認証部１１６による顔認証が成功したかどうかを判断する。
この場合、システム制御部１１８は、認証部１１６からの顔認証に成功したことを示す通知を受け取ると、認証部１１６による顔認証が成功したと判断し（ステップＳ１１２：Ｙｅｓ）、処理を終了する。
なお、システム制御部１１８は、上記同様に、認証部１１６による顔認証が成功した場合、ロック解除等を行う。
これに対し、システム制御部１１８は、認証部１１６からの顔認証に失敗したことを示す通知を受け取ると、認証部１１６による顔認証が失敗したと判断し（ステップＳ１１２：Ｎｏ）、ステップＳ１１３に移行する。
このとき、システム制御部１１８は、変形フィルター１１５ｅにより画像補正された認証対象者の顔画像をＲＡＭ１１２から削除する。
【００３２】
（ステップＳ１１３）
システム制御部１１８は、パネル操作制御部１１７に対し、エラー表示を指示する。
このとき、パネル操作制御部１１７は、パネル部１０３に対し、認証の失敗したことを示す内容を表示させる。
【００３３】
なお、システム制御部１１８は、ステップＳ１１２において顔認証に失敗した場合、画像補正部１１５に対し、明るさフィルター１１５ａ、ぼかしフィルター１１５ｂ、シャープフィルター１１５ｃ、ノイズフィルター１１５ｄ、変形フィルター１１５ｅのそれぞれの設定値の変更を指示し、ステップＳ１０３からステップＳ１１２までの認証処理を繰り返してもよい。
【００３４】
また、システム制御部１１８は、画像補正部１１５に対し、たとえばステップＳ１０３での明るさフィルター１１５ａによる画像補正と、ステップＳ１０５でのぼかしフィルター１１５ｂによる画像補正とを同時に指示してもよい。また、システム制御部１１８は、画像補正部１１５に対し、たとえばステップＳ１０７でのシャープフィルター１１５ｃによる画像補正と、ステップＳ１０９でのノイズフィルター１１５ｄによる画像補正とを同時に指示してもよい。言い換えれば、システム制御部１１８は、画像補正部１１５に対し、明るさフィルター１１５ａ、ぼかしフィルター１１５ｂ、シャープフィルター１１５ｃ、ノイズフィルター１１５ｄ、変形フィルター１１５ｅのいずれかを組み合わせての画像補正を指示してもよい。
【００３５】
このように、本実施形態では、ＥＥＰＲＯＭ１１３（記憶デバイス）により、登録者の顔画像（第１の顔画像）を記憶し、カメラ１０２により、認証対象者の顔画像（第２の顔画像）を取り込み、認証部１１６により、顔画像（第１の顔画像）と顔画像（第２の顔画像）とを比較して顔認証を行い、画像補正の特性の異なる複数の補正フィルターを有する画像補正部１１５により、顔画像（第２の顔画像）に対してそれぞれの補正フィルターによる画像補正を行い、システム制御部１１８により、認証部１１６が顔認証に失敗した場合、画像補正部１１５に対して複数の補正フィルターによる画像補正を指示し、認証部１１６に対して顔画像（第１の顔画像）と補正フィルターによる顔画像（第３の顔画像）との顔認証を指示する。また、補正フィルターは、顔画像の一部、又は全体を作り替える補正を行わない。
【００３６】
このように、顔画像の一部、又は全体を作り替える補正を行わない補正フィルターによって画像補正することで、ＥＥＰＲＯＭ１１３（記憶デバイス）への登録者の顔画像（第１の顔画像）の登録時の撮像環境と、顔認証を行う際の認証対象者の顔画像の撮像環境との違いによる顔認証に対する影響を抑えることができ、カメラ１０２の設定変更の操作や、認証対象者の顔画像の取り直しを無くすことできるので、ユーザーの利便性の低下を抑制できる。
【００３７】
なお、本実施形態では、電子機器をスマートフォン等の携帯端末１００に適用したが、これに限らず、タブレットＰＣ(Personal Computer)等の他の電子機器に適用してもよい。また、登録者の顔画像をネットワークに接続されているサーバーに登録し、携帯端末１００等から認証対象者の顔画像を送信し、サーバー側で認証を行う認証システムに適用してもよい。また、ＵＳＢカメラを用いたＰＣ(Personal Computer)等に適用してもよい。また、監視カメラを用いた防犯システムに適用してもよい。
【符号の説明】
【００３８】
１００  携帯端末
１０１  アンテナ
１０２  カメラ
１０３  パネル部
１１０  制御部
１１１  通信制御部
１１２  ＲＡＭ
１１３  ＥＥＰＲＯＭ
１１４  カメラ制御部
１１５  画像補正部
１１５ａ  明るさフィルター
１１５ｂ  ぼかしフィルター
１１５ｃ  シャープフィルター
１１５ｄ  ノイズフィルター
１１５ｅ  変形フィルター
１１６  認証部
１１７  パネル操作制御部
１１８  システム制御部
１１９  データバス
【図１】
2019091142.tif 000003
【図２】
2019091142.tif 000004
【図３】
2019091142.tif 000005